(57)【要約】【課題】表示するコンテンツの種類によらず、複数の画像表示装置によって同期のとられた画像表示を行うことのできる、画像表示システムを提供すること。【解決手段】画像表示システム１において、画像出力装置１１は、タイミングインデックス信号を生成し、画像信号に挿入するタイミングインデックス信号生成部１１３と、タイミングインデックス信号が挿入された画像信号を、画像表示装置に送信する画像信号送信部１１４とを備え、画像表示装置１２、１３は、画像信号に挿入されたタイミングインデックス信号を復号するタイミングインデックス信号復号部１２６と、復号されたタイミングインデックス信号を他の画像表示装置１２、１３に送信するタイミングインデックス信号送信部１２７とを備え、タイミングインデックス信号の送信に基づいて、画像表示の同期が取られている。【選択図】図４
2009122412.tif 000002
【特許請求の範囲】
【請求項１】
フレーム単位の画像を画像信号として出力する画像出力装置と、この画像出力装置と接続される複数の画像表示装置とを備えた画像表示システムであって、
前記複数の画像表示装置は、互いに双方向通信可能に接続され、
前記画像出力装置は、
各画像表示装置に画像を表示させる画像信号を生成する画像信号生成部と、
前記画像信号生成部で生成された画像信号を、所定のタイミングで各画像表示装置に送信する画像信号送信部と、
前記画像信号が送信される所定のタイミングに応じて、各画像表示装置による表示の同期を取るタイミングインデックス信号を生成するタイミングインデックス信号生成部と、
前記タイミングインデックス信号生成部で生成されたタイミングインデックス信号を、各画像表示装置に送信するタイミングインデックス信号送信部とを備え、
前記画像表示装置は、
前記画像信号送信部から送信された画像信号を受信する画像信号受信部と、
前記画像信号受信部で受信された画像信号を、フレーム単位で蓄積する画像信号蓄積部と、
前記画像信号蓄積部に蓄積された画像信号に基づいて、フレーム単位の画像を表示する画像表示部と、
前記タイミングインデックス信号送信部から送信されたタイミングインデックス信号を受信するタイミングインデックス信号受信部と、
前記タイミングインデックス信号受信部で受信されたタイミングインデックス信号を、他の画像表示装置のタイミングインデックス信号受信部に送信するタイミングインデックス信号送信部と、
前記画像出力装置から送信されたタイミングインデックス信号を、他の画像表示装置で受信されたか否かを監視するタイミングインデックス信号受信監視部と、
前記タイミングインデックス信号受信監視部により、すべての画像表示装置でタイミングインデックス信号が受信されたと判定されると、前記画像信号蓄積部に蓄積されたフレーム単位の画像信号に基づいて、前記画像表示部に画像を表示させる画像表示制御部とを備えていることを特徴とする画像表示システム。
【請求項２】
請求項１に記載の画像表示システムにおいて、
前記画像出力装置は、
前記タイミングインデックス信号生成部は、生成したタイミングインデックス信号を、前記画像信号生成部で生成された画像信号に挿入し、
前記タイミングインデックス信号送信部は、前記画像信号送信部と兼用され、
前記画像表示装置は、
前記タイミングインデックス信号生成部により挿入されたタイミングインデックス信号を、復号化して取り出すタイミングインデックス信号復号部を備え、
前記タイミングインデックス信号受信部は、前記画像信号受信部と兼用されていることを特徴とする画像表示システム。
【請求項３】
請求項２に記載の画像表示システムにおいて、
前記画像信号は、フレーム画像を構成する複数の画素のそれぞれに与えられ、各画素に色表示させるための複数のビット列からなる色表示データを含んで構成され、
前記タイミングインデックス信号は、少なくともいずれかの画素の色表示データのビット列のうち、ＬＳＢ（Least Significant Bit）から上位に向かう所定のビット列に挿入されることを特徴とする画像表示システム。
【請求項４】
請求項３に記載の画像表示システムにおいて、
前記色表示データは、少なくとも９ビット以上のビット列からなり、
前記タイミングインデックス信号は、８ビットよりも下位のビット列に挿入されることを特徴とする画像表示システム。
【請求項５】
請求項２乃至請求項４のいずれかに記載の画像表示システムにおいて、
前記タイミングインデックス信号は、画像信号のフレーム画像を構成する複数の画素のうち、特定の画素に与えられる色表示データに挿入されることを特徴とする画像表示システム。
【請求項６】
請求項２乃至請求項５のいずれかに記載の画像表示システムにおいて、
前記画像表示装置は、光源と、この光源から射出された光を画像信号に応じて変調して光学像を形成する光変調装置と、この光変調装置で形成された光学像を投射する投射装置とを備えたプロジェクタであり、各プロジェクタの投射領域の一部が重ね合わされるタイリング表示とされ、
前記タイミングインデックス信号は、各プロジェクタの重ね合わせ領域に応じた画像信号のフレーム画像を構成する画素に与えられる色表示データに挿入されることを特徴とする画像表示システム。
【請求項７】
フレーム単位の画像を画像信号として出力する画像出力装置に、複数の画像表示装置を接続し、前記画像出力装置から出力された画像信号を、各画像表示装置で表示する画像表示システムに用いられる画像表示装置であって、
他の画像表示装置と双方向通信可能な伝送系が接続される端子と、
前記画像信号出力装置から送信された画像信号を受信する画像信号受信部と、
前記画像信号受信部で受信された画像信号を、フレーム単位で蓄積する画像信号蓄積部と、
前記画像信号蓄積部に蓄積された画像信号に基づいて、フレーム単位の画像を表示する画像表示部と、
前記画像出力装置で生成され、前記画像信号が送信される所定のタイミングに応じて、表示させる画像信号の表示タイミングの同期を取るタイミングインデックス信号を受信するタイミングインデックス信号受信部と、
前記タイミングインデックス信号受信部で受信されたタイミングインデックス信号を、他の画像表示装置のタイミングインデックス信号受信部に送信するタイミングインデックス信号送信部と、
前記画像出力装置から送信されたタイミングインデックス信号を、他の画像表示装置で受信されたか否かを監視するタイミングインデックス信号受信監視部と、
前記タイミングインデックス信号受信監視部により、すべての画像表示装置でタイミングインデックス信号が受信されたと判定されると、前記画像信号蓄積部に蓄積された画像信号に基づいて、前記画像表示部に画像を表示させる画像表示制御部とを備えていることを特徴とする画像表示装置。
【発明の詳細な説明】
【技術分野】
【０００１】
本発明は、画像表示システム及び画像表示装置に関する。
【背景技術】
【０００２】
従来、複数のプロジェクタを組み合わせて一つのディスプレイを構成し、投射を行うマルチプロジェクションシステムが知られている。
例えば、このようなマルチプロジェクションシステムとしては、複数のプロジェクタを空間的に隣接させることで高解像度な映像を提供するタイリング投射システム（狭義のマルチプロジェクションシステム）や、各プロジェクタの投射位置を同じ位置にすることで高輝度な映像を提供するスタッキング投射システムなどが挙げられる。
これらの手法においては複数のプロジェクタが一体となって動作するように、それぞれのプロジェクタに入力される画像を制御、加工する必要がある。
これらはＰＣを使用して行われることが一般的であるが、その際には複数のプロジェクタに対して同じタイミングでフレームの更新を行うことが困難であるという問題が顕在化している。
【０００３】
これは各プロジェクタに入力される更新タイミングがずれていることに起因している。特に異なる画像出力装置（グラフィックカード）および異なるＰＣからの入力については更新タイミングを同期させることは高価な専用ハードウェアを使用しない限りは困難である。
このような問題を解決する方法として、ＰＣを用いたマルチプロジェクションシステムにおいて、動画の持っているフレーム再生速度と、表示デバイスの持つ再生速度を比較して、最も遅い再生速度に合わせて、表示を行うための同期信号を発信するという方法が提案されている（例えば、特許文献１参照）。
【０００４】
【特許文献１】特開２００５−８６５９２号公報
【発明の開示】
【発明が解決しようとする課題】
【０００５】
しかしながら、前記特許文献１に開示された方法は、ＭＰＥＧのようにフレーム再生速度が与えられるものに対しては有効だが、それらが与えられていないコンテンツ、たとえば画像を切り替えながら表示するスライドショーや、デスクトップの表示そのものには対応できない。
また、動画をスクリーン全体で表示するのではなく、スクリーンの一部にウィンドウとして表示している場合にはそのフレーム再生速度に全体を合わせることになってしまい、観察者が意識している表示フレームレートと乖離する可能性がある。
これらの問題は、プロジェクションシステムのみならず、通常のディスプレイを複数空間的に隣接配置して行う場合であっても同様の問題として把握される。
【０００６】
本発明の目的は、表示するコンテンツの種類によらず、各画像表示装置によって同期のとられた画像表示を行うことのできる、画像表示システム及び画像表示装置を提供することにある。
【課題を解決するための手段】
【０００７】
本発明に係る画像表示システムは、
フレーム単位の画像を画像信号として出力する画像出力装置と、この画像出力装置と接続される複数の画像表示装置とを備えた画像表示システムであって、
前記複数の画像表示装置は、互いに双方向通信可能に接続され、
前記画像出力装置は、
各画像表示装置に画像を表示させる画像信号を生成する画像信号生成部と、
前記画像信号生成部で生成された画像信号を、所定のタイミングで各画像表示装置に送信する画像信号送信部と、
前記画像信号が送信される所定のタイミングに応じて、各画像表示装置による表示の同期を取るタイミングインデックス信号を生成するタイミングインデックス信号生成部と、
前記タイミングインデックス信号生成部で生成されたタイミングインデックス信号を、各画像表示装置に送信するタイミングインデックス信号送信部とを備え、
前記画像表示装置は、
前記画像信号送信部から送信された画像信号を受信する画像信号受信部と、
前記画像信号受信部で受信された画像信号を、フレーム単位で蓄積する画像信号蓄積部と、
前記画像信号蓄積部に蓄積された画像信号に基づいて、フレーム単位の画像を表示する画像表示部と、
前記タイミングインデックス信号送信部から送信されたタイミングインデックス信号を受信するタイミングインデックス信号受信部と、
前記タイミングインデックス信号受信部で受信されたタイミングインデックス信号を、他の画像表示装置のタイミングインデックス信号受信部に送信するタイミングインデックス信号送信部と、
前記画像出力装置から送信されたタイミングインデックス信号を、他の画像表示装置で受信されたか否かを監視するタイミングインデックス信号受信監視部と、
前記タイミングインデックス信号受信監視部により、すべての画像表示装置にタイミングインデックス信号が受信されたと判定されると、前記画像信号蓄積部に蓄積されたフレーム単位の画像信号に基づいて、前記画像表示部に画像を表示させる画像表示制御部とを備えていることを特徴とする。
【０００８】
ここで、タイミングインデックス信号の送信は、画像信号を送信する伝送系を利用してもよく、画像信号を送信する伝送系とは別に、画像出力装置及び各画像表示装置を接続する伝送系を設け、この伝送系を介して伝送するようにしてもよい。
また、タイミングインデックス信号は、要するに、画像出力装置から送信される画像信号が画像表示装置にどのような画像を表示させるかを認識できる信号であればよく、例えば、画像出力装置側で画像信号送信開始からの時刻を初期化し、送信される画像信号の時刻情報を使用してもよいし、画像信号送信開始から画像出力装置から出力された画像信号のフレーム更新数を使用してもよい。
さらに、各画像表示装置を互いに接続する伝送系は、画像表示装置間で双方向通信可能であればよく、例えば、ＵＳＢ（Universal Serial Bus)、ＬＡＮ（Local Area Network）等を採用することができる。
【０００９】
この発明によれば、画像出力装置がタイミングインデックス信号生成部及びタイミングインデックス信号送信部を備え、画像表示装置がタイミングインデックス信号受信部、タイミングインデックス信号送信部、タイミングインデックス信号受信監視部、及び画像表示制御部を備えていることにより、すべての画像表示装置がタイミングインデックス信号を受信したと判定された場合に、各画像表示装置による画像の表示が開始されるため、表示するコンテンツの種類によらず、各画像表示装置の表示の同期を取ることが可能となり、複数の画像表示装置で１のコンテンツを同時に表示させても、観察者に違和感が生じることがない。
【００１０】
本発明では、前記画像出力装置は、
前記タイミングインデックス信号生成部は、生成したタイミングインデックス信号を、前記画像信号生成部で生成された画像信号に挿入し、
前記タイミングインデックス信号送信部は、前記画像信号送信部と兼用され、
前記画像表示装置は、
前記タイミングインデックス信号生成部により挿入されたタイミングインデックス信号を、復号化して取り出すタイミングインデックス信号復号部を備え、
前記タイミングインデックス信号受信部は、前記画像信号受信部と兼用されているのが好ましい。
この発明によれば、タイミングインデックス信号生成部及びタイミングインデックス信号復号部を備えていることにより、画像信号にタイミングインデックス信号が挿入されるため、画像出力装置から画像信号を送信するだけで各画像表示装置における表示の同期を取ることができる。
また、画像信号の伝送系とは別にタイミングインデックス信号の伝送系を設ける必要がなくなるため、画像表示システムの伝送系を簡素化することができる。
【００１１】
本発明では、前記画像信号は、フレーム画像を構成する複数の画素のそれぞれに与えられ、各画素に色表示させるための複数のビット列からなる色表示データを含んで構成され、
前記タイミングインデックス信号は、少なくともいずれかの画素の色表示データのビット列のうち、ＬＳＢ（Least Significant Bit）から上位に向かう所定のビット列に挿入されるのが好ましい。
具体的には、前記色表示データは、少なくとも９ビット以上のビット列からなり、
前記タイミングインデックス信号は、８ビットよりも下位のビット列に挿入されるのが好ましい。
【００１２】
ここで、タイミングインデックス信号は、フレーム画像を構成する１つの画素に与えられる色表示データに挿入してもよく、複数の画素に与えられる色表示データに跨って挿入してもよい。
この発明によれば、タイミングインデックス信号を、画素の色表示データのビット列のうち、ＬＳＢから上位に向かう所定のビット列に挿入することにより、画像信号のデータ構成を変更することなく、簡単にタイミングインデックス信号を画像信号に挿入することができる。
また、タイミングインデックス信号を、色表示データを与えるビット列の下位の部分に挿入することにより、画素に与えられる色表示データの変化を少なくして、画像表示装置上に表示される画像の画質劣化を少なくするができる。
【００１３】
特に、タイミングインデックス信号を８ビットよりも下位のビット列に挿入することにより、ＲＧＢ信号等の画像信号の色表示データが８ビットを基本としているため、タイミングインデックス信号の挿入による色表示データの変化を最小限に抑えることができる。
尚、８ビットよりも下位のビット列には、通常、各画素の色ムラ補正データ、輝度ムラ補正データ等のデータが挿入される。従って、これらのデータをタイミングインデックス信号に置換しても、色ムラ、輝度ムラの補正の程度が若干変化するだけであり、しかも、１つの画素の色表示データであれば画像表示装置上に表示される画像には殆ど影響がない。また、複数の画素の色表示データにタイミングインデックス信号を挿入する場合でも、離散的に画素を選択することで、画像表示装置上に表示される画像の画質劣化を極力抑えることができる。
【００１４】
本発明では、タイミングインデックス信号は、画像信号のフレーム画像を構成する複数の画素のうち、特定の画素に与えられる色表示データに挿入されるのが好ましい。
ここで、特定の画素とは、液晶ディスプレイ、有機ＥＬディスプレイ等の固定画素型のディスプレイであれば、画素欠陥が生じている画素や、画像表示装置により画像を表示した際に、観察者が通常あまり見ない、例えば、角隅部の画素等をいう。
この発明によれば、タイミングインデックス信号を、特定の画素に与えられる色表示データに挿入することにより、色表示データを構成するすべてのビット列でタイミングインデックス信号を表現することができるため、１つの画素に与えられる色表示データのみでタイミングインデックス信号を挿入することができる。
また、特定の画素を画素欠陥が生じている画素や、角隅部の画素とすることにより、タイミングインデックス信号を挿入することによる、画像表示装置による表示画像の変化を殆ど視認することがないため、観察者が表示画像の画質劣化を認識することがない。
【００１５】
本発明では、前記画像表示装置は、光源と、この光源から射出された光を画像信号に応じて変調して光学像を形成する光変調装置と、この光変調装置で形成された光学像を投射する投射装置とを備えたプロジェクタであり、各プロジェクタの投射領域の一部が重ね合わされるタイリング表示とされている場合、
前記タイミングインデックス信号は、各プロジェクタの重ね合わせ領域に応じた画像信号のフレーム画像を構成する画素に与えられる色表示データに挿入されるのが好ましい。
【００１６】
プロジェクタによるタイリング表示では、隣接するプロジェクタによる投射画像の一部を重ね合わせると、それぞれのプロジェクタからの光が重ね合わされ、重ね合わせ領域の部分が他の投射画像の部分よりも明るくなってしまう。このため、タイリング表示では、重ね合わせ領域の部分を、光学的手法や、画像信号の補正によって減光処理を行って、継ぎ目のないシームレスな画像とするのが通常である。
従って、例えば、一方の投射画像の重ね合わせ領域の画素の色表示が、タイミングインデックス信号の挿入により変化しても、重ね合わされる他方の投射画像で補うことができるため、投射画像の画質劣化を観察者が認識しにくくなる。
【００１７】
本発明は、前述した画像表示システムを構成するサブコンビネーションとしての画像表示装置としても構成することができる。
具体的には、フレーム単位の画像を画像信号として出力する画像出力装置に、複数の画像表示装置を接続し、前記画像出力装置から出力された画像信号を、各画像表示装置で表示する画像表示システムに用いられる画像表示装置であって、
他の画像表示装置と双方向通信可能な伝送系が接続される端子と、
前記画像信号出力装置から送信された画像信号を受信する画像信号受信部と、
前記画像信号受信部で受信された画像信号を、フレーム単位で蓄積する画像信号蓄積部と、
前記画像信号蓄積部に蓄積された画像信号に基づいて、フレーム単位の画像を表示する画像表示部と、
前記画像出力装置で生成され、前記画像信号が送信される所定のタイミングに応じて、表示させる画像信号の表示タイミングの同期を取るタイミングインデックス信号を受信するタイミングインデックス信号受信部と、
前記タイミングインデックス信号受信部で受信されたタイミングインデックス信号を、他の画像表示装置のタイミングインデックス信号受信部に送信するタイミングインデックス信号送信部と、
前記画像出力装置から送信されたタイミングインデックス信号を、他の画像表示装置で受信されたか否かを監視するタイミングインデックス信号受信監視部と、
前記タイミングインデックス信号受信監視部により、すべての画像表示装置でタイミングインデックス信号が受信されたと判定されると、前記画像信号蓄積部に蓄積された画像信号に基づいて、前記画像表示部に画像を表示させる画像表示制御部とを備えていることを特徴とする。
【発明を実施するための最良の形態】
【００１８】
［第１実施形態］
図１には、本発明の第１実施形態に係る画像表示システムとしてのマルチプロジェクションシステム１が示されている。このマルチプロジェクションしてステム１は、画像出力装置としてのコンピュータ１１、投射画像を形成するプロジェクタ１２、１３、コンピュータ１１及び各プロジェクタ１２、１３を接続する画像伝送ケーブル１４、１５、及びプロジェクタ１２、１３同士を接続するケーブル１６を備えて構成される。
プロジェクタ１２、１３は、それぞれの投射画像１７、１８の一部が重ね合わされるように配置されており、コンピュータ１１は、原画像を左右２つの分割画像に切り出し、一方の分割画像をプロジェクタ１２に表示させ、他方の分割画像をプロジェクタ１３に表示させている。これにより、マルチプロジェクションシステム１は、投射画像１７、１８を組み合わせた大画面かつ高解像度のタイリング表示を実現している。尚、本実施形態では、２つのプロジェクタ１２、１３の投射画像１７、１８の一部を重ね合わせたタイリング表示としているが、これに限らず、投射画像を完全に重ね合わせ、投射画像を高輝度化するスタッキング表示としてもよい。
【００１９】
コンピュータ１１は、詳しくは後述するが、ＯＳ上で動作するアプリケーションによって表示されるプレゼンテーション画像の分割画像を生成し、各分割画像をプロジェクタ１２、１３で表示させるものであり、２枚のビデオカードが装着され、それぞれのビデオカードにはプロジェクタ１２、１３が接続されている。
プロジェクタ１２、１３は、光源と、光源から射出された光束を画像情報に応じて変調して光学像を形成する液晶パネル等の光変調素子、及び形成された光学像を投射する投射光学装置を備えた光学エンジンと、光源及び光学エンジンを電気的に駆動制御する制御ボード等とを備えて構成される。
【００２０】
コンピュータ１１と、プロジェクタ１２、１３とを接続する画像伝送ケーブル１４、１５は、画像情報をデジタルで伝送できるＤＶＩ（Digital Visual Interface）規格のケーブルであり、コンピュータ１１に装着されたビデオカードは、この画像伝送ケーブル１４、１５を介して、それぞれのプロジェクタ１２、１３に所定のフレームレートでフレーム単位の画像信号を送信している。
プロジェクタ１２、１３同士を接続するケーブル１６は、双方向通信可能なＵＳＢケーブル等であり、プロジェクタ１２、１３間で相互にやりとりを行えるようになっている。尚、本実施形態では、プロジェクタ１２、１３を別々に設置してタイリング表示を行っているが、これに限らず、プロジェクタ１２、１３を構成するそれぞれの光学エンジン、制御ボードを同一の筐体に収納してもよい。この場合、筐体内では、各プロジェクタ１２、１３の制御ボードがむき出しで配置されるので、ＵＳＢケーブル用いることなく、基板間を直接ケーブル接続すればよい。
【００２１】
このようなマルチプロジェクションシステム１において、それぞれのプロジェクタ１２、１３で投射画像１７、１８によりプレゼンテーション画像を表示させる場合、それぞれの投射画像１７、１８のフレームの更新タイミングを同期させるのが難しく、観察者に違和感が生じることがある。
その理由としては、第１に、コンピュータ１１に装着される２枚のビデオカードから送信される画像信号の更新のタイミングは、それぞれのビデオカードが独立しているため、同期を取ることが難しいという点にある。これを解決するには、前述したように同期させるために高価な専用ハードウェアを使用しなければならない。
【００２２】
第２に、たとえ、コンピュータ１１のそれぞれのビデオカードから送信される画像信号のタイミングの同期をとったとしても、プロジェクタ１２、１３間での画像表示のタイミングの同期が取られていないため、ここでも表示にずれを生じてしまう。
すなわち、プロジェクタ１２、１３では、コンピュータ１１から送信された画像信号を、制御ボード上に設けられたフレームバッファ上に書き込み、１フレーム分の画像信号が書き込まれたら、プロジェクタ１２、１３の画像表示部（駆動回路）で１フレーム分の画像を表示させることで投射画像を形成しているが、各プロジェクタ１２、１３のフレームバッファへの書き込みのタイミングの同期が取られておらず、いずれかのプロジェクタ１２、１３の書き込みの遅延等によって、表示のずれを起こしてしまう。
【００２３】
例えば、コンピュータ１１→画像伝送ケーブル１４→プロジェクタ１２という画像信号の流れを系統１、コンピュータ１１→画像伝送ケーブル１５→プロジェクタ１３という画像信号の流れを系統２とすると、図２に示されるように、通常は、系統１での画像表示タイミング、系統２での画像表示タイミングの同期は取られていない状態にある。
コンピュータ１１からＮｏ．１０１の画像への画像更新命令が同時に系統１、系統２に送信されたとした場合、系統１では更新タイミングが早い状態にあるため、フレームバッファへのＮｏ．１００の画像信号の書き込みが時間的に早く終了し、直ちに、Ｎｏ．１０１の画像信号の書き込みに入ることができる。
一方、系統２では、フレームバッファへのＮｏ．１００の画像信号の書き込みが終了していないため、これを待たなければならず、Ｎｏ．１００の画像信号の書き込みの終了を待ってＮｏ．１０１の画像信号の書き込みを開始する必要があり、系統１及び系統２における投射画像１７、１８の更新タイミングにずれが生じてしまう。
【００２４】
そこで、本実施形態では、図３に示されるように、プロジェクタ１２、１３同士をケーブル１６で双方向通信可能に接続し、コンピュータ１１から系統１にフレーム毎の分割画像信号ＶＩＤＥＯ１を送信し、系統２にフレーム毎の分割画像信号ＶＩＤＥＯ２を送信するに際して、分割画像信号ＶＩＤＥＯ１、ＶＩＤＥＯ２を表すタイミングインデックス信号ＴＩＳ１、ＴＩＳ２を付随させる。そして、系統１のフレームバッファにＮｏ．１００の分割画像信号ＶＩＤＥＯ１の書き込みが終了したら、プロジェクタ１２からタイミングインデックス信号ＴＩＳ１をプロジェクタ１３に送信し、系統２のフレームバッファにＮｏ．１００の分割画像信号ＶＩＤＥＯ２の書き込みが終了したら、プロジェクタ１３からタイミングインデックス信号ＴＩＳ２をプロジェクタ１２に送信するように構成した。
そして、すべてのプロジェクタ１２、１３からタイミングインデックス信号ＴＩＳ１、ＴＩＳ２が送信されたことを条件として、各プロジェクタ１２、１３による画像表示を開始することにより、プロジェクタ１２、１３間の表示の同期を取ることとし、前記の問題を解決することとした。
以下、マルチプロジェクションシステム１の詳細構成を説明する。
【００２５】
図４には、本実施形態に係るマルチプロジェクションシステム１のブロック図が示されている。
マルチプロジェクションシステム１を構成する画像出力装置としてのコンピュータ１１は、ＯＳ上で起動するディスプレイドライバ１１１を備え、このディスプレイドライバ１１１は、画像生成部１１２、タイミングインデックス信号挿入部１１３、画像信号送信部１１４を備えている。
画像信号生成部としての画像生成部１１２は、コンピュータ画面上に表示されるデスクトップ等の原画像データから分割画像信号を生成する部分であり、本実施形態では、図１に示されるように、原画像データから２つの分割画像信号を生成している。分割画像信号は、光変調素子の画像形成領域を構成する各画素に与えられる色表示データとして構成され、各画素に与えられる色表示データは、例えば、１６ビットのビット列から構成されている。色表示データは、Ｒ、Ｇ、Ｂの３色のデータとして構成され、各色の色表示データは、ＭＳＢ（Most Significant Bit）から８ビット分が階調表示を与えるデータとして構成され、その下位には、輝度ムラ、色ムラ、ゴースト等を補正するデータが含まれている。
【００２６】
タイミングインデックス信号生成部としてのタイミングインデックス信号挿入部１１３は、タイミングインデックス信号を生成し、生成したタイミングインデックス信号を、画像生成部１１２で生成された分割画像信号に挿入する部分である。
タイミングインデックス信号は、更新すべき画像のインデックスを表す信号であり、例えば、更新画像のフレーム番号、又は、コンピュータ１１を起動した後、画像生成部１１２による分割画像の生成が開始された後の経過時間等の数値データとして構成される。尚、タイミングインデックス信号挿入部１１３によるタイミングインデックス信号の挿入は、分割画像信号のすべてに挿入する必要はなく、プロジェクタ１２、１３で投射画像の表示の同期がとれる範囲で数フレーム毎に挿入すればよい。
タイミングインデックス信号挿入部１１３は、例えば、図５に示されるように、Ｒ、Ｇ、Ｂのいずれかの色についての１６ビットの色表示データのＬＳＢ側の４つのビット列にタイミングインデックス信号を挿入する。尚、この場合、タイミングインデックス信号を挿入する色表示データは、１つの画素であってもよく、複数の画素を利用して挿入してもよい。要するに、色表示データが大きく変化して、投射画像の異なる色表示等の画質劣化が生じないビットに挿入すればよい。
【００２７】
また、他の方法としては、図６に示されるように、投射画像１７、１８の重ね合わせ領域Ａ１や、投射画像１７、１８の角隅部の領域Ａ２にタイミングインデックス信号を挿入してもよい。
重ね合わせ領域Ａ１では、それぞれのプロジェクタ１２、１３では、遮光板等を配置して光学的な減光処理を行って、境界部分を目立たせないようにしているため、例えば、プロジェクタ１２のある部分にタイミングインデックス信号を挿入して色表示が異なっても、他のプロジェクタ１３からの投射画像により埋没してしまう。また、プロジェクタ１２の投射画像１７の右側端部等では、殆ど黒色表示となっているため、当該部分では、１６ビットすべてを使ってタイミングインデックス信号を挿入したとしても、遮光板によって遮光されてしまうので、観察者が視認することはない。
また、角隅部の領域Ａ２では、観察者が通常投射画像の中央を注視しているため、この部分で色変化が生じても気がつかない。
【００２８】
図４に戻って、画像信号送信部１１４は、画像生成部１１２で生成され、タイミングインデックス信号が挿入された分割画像信号を、ビデオカード１１５、１１６を介してプロジェクタ１２、１３に送信する部分であり、例えば、１／６０ｓ〜１／７２ｓ程度の更新周期で分割画像信号を送信する。
送信された分割画像信号は、ビデオカード１１５、１１６、及び、画像伝送ケーブル１４、１５を介して、プロジェクタ１２、１３のビデオ入力端子１２１に入力される。
【００２９】
プロジェクタ１２、１３は、ビデオ入力端子１２１に入力した分割画像信号に基づいて、所定の更新周期で投射画像を表示する装置であり、画像信号受信部１２２、フレームバッファ１２３、画像表示部１２４、画像表示制御部１２５、タイミングインデックス信号復号部１２６、タイミングインデックス信号送信部１２７、及びタイミングインデックス信号受信監視部１２８を備えて構成される。
画像信号受信部１２２は、ビデオ入力端子１２１に入力された分割画像信号を受信して、フレームバッファ１２３に書き込む部分である。
画像蓄積部としてのフレームバッファ１２３は、受信された分割画像信号を記憶保持する部分であり、画像表示制御部１２５からの命令に基づいて、蓄積された１フレーム分の画像信号を、画像表示部１２４に出力する。
画像表示部１２４は、光変調素子を駆動制御する駆動回路として構成され、フレームバッファ１２３からの画像信号に基づいて、光変調素子の駆動制御を行う。
【００３０】
画像表示制御部１２５は、フレームバッファ１２３、画像表示部１２４を制御する部分であり、後述するタイミングインデックス信号受信監視部１２８の監視状態に基づいて、これらの駆動制御を行う。
タイミングインデックス信号復号部１２６は、コンピュータ１１のタイミングインデックス信号挿入部１１３で分割画像信号に挿入されたタイミングインデックス信号を復号する部分である。
タイミングインデックス信号送信部１２７は、タイミングインデックス信号復号部１２６で復号されたタイミングインデックス信号を、ＵＳＢポート１２９及びケーブル１６を介して、他のプロジェクタ１３に送信する部分である。
このタイミングインデックス信号送信部１２７は、画像信号のフレームバッファ１２３への書き込みが終了していない状態では、まだ書き込みが終了していない旨の「No Buffered」という信号を送信する。また、タイミングインデックス信号の送信は、プロジェクタ１２、１３の画像更新周期よりも短いタイミングで行っている。
タイミングインデックス信号受信監視部１２８は、ケーブル１６を介して他のプロジェクタ１３からタイミングインデックス信号が送信されたか否かを監視する部分であり、監視状態を画像表示制御部１２５に出力する。
【００３１】
次に、本実施形態の作用について、図７及び図８に示されるフローチャートに基づいて説明する。
まず、図７に示されるように、コンピュータ１１の画像生成部１１２は、投射画像１７、１８に応じたフレーム単位の分割画像信号を生成する（手順Ｓ１）。
タイミングインデックス信号挿入部１１３は、タイミングインデックス信号を生成し、生成したタイミングインデックス信号を、画像生成部１１２で生成された分割画像信号に挿入する（手順Ｓ２）。
分割画像信号にタイミングインデックス信号が挿入されたら、画像信号送信部１１４は、ビデオカード１１５、１１６を介して分割画像信号をプロジェクタ１２、１３に送信する（手順Ｓ３）。
【００３２】
送信された分割画像信号は、プロジェクタ１２、１３のビデオ入力端子１２１から画像信号受信部１２２で受信され（手順Ｓ４）、画像信号受信部１２２は、受信した分割画像信号をフレームバッファ１２３に書き込み保存する（手順Ｓ５）。
フレーム単位の画像信号がフレームバッファ１２３に書き込まれたら、タイミングインデックス信号復号部１２６は、画像信号に挿入されたタイミングインデックス信号を復号し（手順Ｓ６）、タイミングインデックス信号を取得する（手順Ｓ７）。
【００３３】
図８に示されるように、タイミングインデックス信号を取得したら、タイミングインデックス信号送信部１２７は、自己の保有する最も古いタイミングインデックス信号を特定し（手順Ｓ８）、他のプロジェクタ１２、１３に最も古いタイミング信号を送信するとともに、タイミングインデックス信号受信監視部１２８は、他のプロジェクタ１２、１３からのタイミングインデックス信号の受信状態を監視する（手順Ｓ９）。
タイミングインデックス信号受信監視部１２８は、他のプロジェクタ１２、１３からのタイミングインデックス信号が「No Buffered」であるか否かを判定し、「No Buffered」がある場合には、手順Ｓ８からを繰り返す（手順Ｓ１０）。
【００３４】
一方、タイミングインデックス信号受信監視部１２８で他のプロジェクタ１２、１３からのタイミングインデックス信号が更新画像のフレーム番号等の画像を特定する値となったと判定されたら、タイミングインデックス信号受信監視部１２８は、その旨を画像表示制御部１２５に出力し、画像表示制御部１２５は、フレームバッファ１２３内に蓄積された分割画像信号を、画像表示部１２４に出力する（手順Ｓ１１）。
画像表示部１２４は、フレームバッファ１２３内に蓄積された分割画像信号に基づいて、投射画像を表示し（手順Ｓ１２）、画像表示制御部１２５は、フレームバッファ１２３内に蓄積された表示済みの画像信号を削除する（手順Ｓ１３）。
【００３５】
このような本実施形態によれば、プロジェクタ１２、１３による投射画像１７、１８の表示のタイミングがタイミングインデックス信号の検出に基づいて行われているので、プロジェクタ１２、１３の投射画像１７、１８の表示のタイミングの同期を取ることが可能となり、ＭＰＥＧ等の動画や、コンピュータ１１のデスクトップ等の表示コンテンツの種類によらず、プロジェクタ１２、１３による表示の同期を取ることができる。
また、タイミングインデックス信号を画像信号に挿入することにより、画像信号の伝送系を用いて同期用のタイミングインデックス信号をプロジェクタ１２、１３に送信できるため、伝送系の簡素化を図ることができる。
【００３６】
さらに、タイミングインデックス信号を、画像信号のビット列のＬＳＢ側に挿入することにより、画像の劣化を最小限に抑えることが可能となるため、投射画像１７、１８の観察者に違和感を生じさせることがない。
また、タイミングインデックス信号を、タイリング表示における重ね合わせ領域Ａ１や、角隅部の領域Ａ２の画素に与えられる色表示データに挿入することにより、色表示データの変化による画質劣化を、観察者に視認されにくくすることができる。
【００３７】
［第２実施形態］
次に、本発明の第２実施形態について説明する。尚、以下の説明では、既に説明した部分と同一の部分については、同一符号を付して、その説明を省略する。
前述した第１実施形態に係るマルチプロジェクションシステム１では、１台のコンピュータ１１に２台のプロジェクタ１２、１３を接続し、コンピュータ１１の画像生成部１１２において、各プロジェクタ１２、１３に表示させる部分画像信号を生成するように構成していた。
これに対して、第２実施形態に係るマルチプロジェクションシステム２では、図９に示されるように、サーバ２０と、コンピュータ２１、２２、２３とをネットワーク２７で相互に接続し、各コンピュータ２１、２２、２３にそれぞれプロジェクタ２４、２５、２６を１台ずつ接続している点が相違する。
【００３８】
コンピュータ２１、２２、２３とプロジェクタ２４、２５、２６の接続構成は、図１０に示されるように、コンピュータ２１、２２、２３とプロジェクタ２４、２５、２６とが一対一対応に接続されているが、基本的な構成は第１実施形態と同様である。
すなわち、各コンピュータ２１、２２、２３は、画像生成部１１２、タイミングインデックス信号挿入部１１３、画像信号送信部１１４、及びビデオカード１１５を備え、各部分の構成及び作用は第１実施形態と同様である。
また、各プロジェクタ２４、２５、２６も、ビデオ入力端子１２１、画像信号受信部１２２、フレームバッファ１２３、画像表示部１２４、画像表示制御部１２５、タイミングインデックス信号復号部１２６、タイミングインデックス信号送信部１２７、タイミングインデックス信号受信監視部１２８、及びＵＳＢポート１２９を備え、各部分の構成及び作用は第１実施形態と同様である。
【００３９】
このようなマルチプロジェクションシステム２では、サーバ２０からの制御指令に基づいて、ネットワーク２７上のコンピュータ２１、２２、２３における画像生成部１１２による分割画像の生成を同期させる。
各コンピュータ２１、２２、２３は、生成された分割画像信号ＶＩＤＥＯ１〜ＶＩＤＥＯ３にタイミングインデックス信号ＴＩＳ１〜ＴＩＳ３を挿入し、各プロジェクタ２４、２５、２６に送信する。
【００４０】
このような場合でも、例えば、図９に示されるように、フレームバッファ１２３に書き込まれる分割画像信号に差が生じることがある。例えば、系統１のプロジェクタ２４では、フレームＮｏ．１００〜Ｎｏ．１０３の画像信号が蓄積された状態にあり、系統２のプロジェクタ２５では、フレームＮｏ．１００の画像信号の書き込み中であり、系統３のプロジェクタ２６では、フレームＮｏ．１０１の画像信号の書き込み中であるとすると、系統１のプロジェクタ２４は、フレームバッファ１２３中の最も古いインデックスとなるフレームＮｏ．１００をタイミングインデックス信号ＴＩＳ１としてＵＳＢポート１２９から他のプロジェクタ２５、２６に送信する。系統３のプロジェクタ２６もフレームＮｏ．１００の書き込みは終了しているから、同様にタイミングインデックス信号ＴＩＳ３として、フレームＮｏ．１００をプロジェクタ２４、２５に送信する。
【００４１】
一方、系統２のプロジェクタ２５は、フレームＮｏ．１００の画像信号の書き込みが終了していないので、書き込み中である旨の「No Buffered」という信号をタイミングインデックス信号ＴＩＳ２として、プロジェクタ２４、２６に送信する。
そして、系統２のプロジェクタ２５のフレームバッファ１２３へのフレームＮｏ．１００の書き込みが終了したら、プロジェクタ２５からもフレームＮｏ．１００をタイミングインデックス信号ＴＩＳ２としてプロジェクタ２４、２６に送信されると、すべてのタイミングインデックス信号ＴＩＳ１〜ＴＩＳ３に「No Buffered」がなくなるので、これをトリガとして各プロジェクタ２４、２５、２６は、フレームＮｏ．１００に相当する画像の表示を行う。
【００４２】
このような第２実施形態に係るマルチプロジェクションシステム２によれば、第１実施形態で述べた効果に加え、次のような効果がある。
すなわち、分割画像信号の生成を複数のコンピュータ２１、２２、２３を用いて行うことにより、各コンピュータ２１、２２、２３での処理の負担が軽減するため、画像表示に要する時間を短縮することができる。特に、４Ｋ２Ｋ（4096ピクセル×2160ピクセル）等のフルハイビジョンの画像であっても、複数のコンピュータ２１、２２、２３で分割画像信号を生成することにより、短い時間で画像を表示させることができる。従って、画像信号の情報量が多くなっても、情報量に応じてコンピュータ２１、２２、２３の台数を変更して、情報量に応じた高精細、高解像度の大画面表示を実現することができる。
【００４３】
［第３実施形態］
次に、本発明の第３実施形態について説明する。
前述した第１実施形態及び第２実施形態に係るマルチプロジェクションシステム１、２では、コンピュータ１１、２１、２２、２３にタイミングインデックス信号挿入部１１３を設け、画像生成部１１２で生成した画像信号にタイミングインデックス信号を挿入し、画像信号とともにタイミングインデックス信号を送信し、プロジェクタ１２、１３、２４、２５、２６側では、タイミングインデックス信号復号部１２６でタイミングインデックス信号を復号し、これに基づいて、画像表示制御を行っていた。
これに対して、第３実施形態に係るマルチプロジェクションシステム３では、図１１に示されるように、コンピュータ３１、３２、３３と、プロジェクタ３４、３５、３６とを画像伝送ケーブル１４とは別にケーブル３７で接続し、タイミングインデックス信号ＴＩＳ１〜ＴＩＳ３を、独立して送信している点が相違する。
【００４４】
コンピュータ３１、３２、３３は、図１２に示されるように、第１実施形態と同様に、画像生成部１１２及び画像信号送信部１１４を備えているが、タイミングインデックス信号挿入部を有しておらず、代わりにタイミングインデックス信号送信部３１１を備えている。
タイミングインデックス信号送信部３１１は、タイミングインデックス信号ＴＩＳ１〜ＴＩＳ３を生成し、生成したタイミングインデックス信号ＴＩＳ１〜ＴＩＳ３を、ＵＳＢポート３１２に接続されるＵＳＢ等の双方向通信可能なケーブル３７に所定のタイミングで送信する。
プロジェクタ３４、３５、３６は、他のプロジェクタ３４、３５、３６との通信用のＵＳＢポート１２９の他に、コンピュータ３１、３２、３３との接続用のＵＳＢポート３４１を備え、コンピュータ３１、３２、３３から送信されたタイミングインデックス信号ＴＩＳ１〜ＴＩＳ３は、ＵＳＢポート３４１から入力し、直接タイミングインデックス信号送信部１２７に転送され、タイミングインデックス信号送信部１２７は、他のプロジェクタ３４、３５、３６にタイミングインデックス信号ＴＩＳ１〜ＴＩＳ３を送信する。
【００４５】
このような本実施形態に係るマルチプロジェクションシステム３は、図１３に示されるフローチャートに基づいて作用する。
サーバ２０から原画像信号が所定の更新周期で配信されると、各コンピュータ３１、３２、３３の画像生成部１１２は、プロジェクタ３４、３５、３６の配置に応じた分割画像信号ＶＩＤＥＯ１〜ＶＩＤＥＯ３を生成する（手順Ｓ１４）。
分割画像信号ＶＩＤＥＯ１〜ＶＩＤＥＯ３が生成されたら、各コンピュータ３１、３２、３３の画像信号送信部１１４は、ビデオカード１１５からそれぞれのプロジェクタ３４、３５、３６に分割画像信号ＶＩＤＥＯ１〜ＶＩＤＥＯ３を送信する（手順Ｓ１５）。
【００４６】
各プロジェクタ３４、３５、３６の画像信号受信部１２２は、ビデオ入力端子１２１から入力した分割画像信号ＶＩＤＥＯ１〜ＶＩＤＥＯ３を受信し（手順Ｓ１６）、フレームバッファ１２３への分割画像信号ＶＩＤＥＯ１〜ＶＩＤＥＯ３の書き込みを行う（手順Ｓ１７）。
この間、画像信号受信部１２２は、フレームバッファ１２３への書き込み状態を監視し、書き込みが終了したかどうかを判定する（手順Ｓ１８）。
書き込みが終了したと判定されたら、画像信号受信部１２２は、終了した旨の応答信号を、ＵＳＢポート３４１からケーブル３７を介してコンピュータ３１、３２、３３に送信する（手順Ｓ１９）。
【００４７】
コンピュータ３１、３２、３３のタイミングインデックス信号送信部３１１は、書き込み終了の応答信号を受信したら（手順Ｓ２０）、プロジェクタ３４、３５、３６に対して、フレームＮｏ．を表すタイミングインデックス信号ＴＩＳ１〜ＴＩＳ３を生成し、接続されるプロジェクタ３４、３５、３６に送信する（手順Ｓ２１）。
各プロジェクタ３４、３５、３６のタイミングインデックス信号送信部１２７は、ＵＳＢポート３４１を介してタイミングインデックス信号ＴＩＳ１〜ＴＩＳ３を受信したら（手順Ｓ２２）、第１実施形態と同様に、他のプロジェクタ３４、３５、３６に対して自己が受信したフレームＮｏ．を表すタイミングインデックス信号ＴＩＳ１〜ＴＩＳ３を送信し、タイミングインデックス信号受信監視部１２８は、他のプロジェクタ３４、３５、３６からのフレームＮｏ．を表すタイミングインデックス信号ＴＩＳ１〜ＴＩＳ３の受信を監視し、画像表示の制御を行う。
【００４８】
このような本実施形態によれば、分割画像信号ＶＩＤＥＯ１〜ＶＩＤＥＯ３と、タイミングインデックス信号ＴＩＳ１〜ＴＩＳ３の送信タイミングの同期を取ることは難しいかもしれないが、画像信号中にタイミングインデックス信号を挿入しないので、画像信号に劣化が生じることはない。
また、コンピュータ３１、３２、３３におけるタイミングインデックス信号の画像信号への挿入、プロジェクタ３４、３５、３６におけるタイミングインデックス信号の復号化を要しないので、各機器における処理を簡単にすることができ、コンピュータ３１、３２、３３、プロジェクタ３４、３５、３６によるデータ処理の負荷を軽減することができる。
【００４９】
［第４実施形態］
次に、本発明の第４実施形態について説明する。
前述した第３実施形態に係るマルチプロジェクションシステム３では、各コンピュータ３１、３２、３３は対応するプロジェクタ３４、３５、３６とＵＳＢ等のケーブル３７によって一対一対応に接続されていた。
これに対して、第４実施形態に係るマルチプロジェクションシステム４では、図１４に示されるように、コンピュータ３１、３２、３３をＬＡＮケーブル４１によって接続し、ルータ４２を介して、さらにＬＡＮケーブル４３によってプロジェクタ３４、３５、３６を相互に接続している点が相違する。
【００５０】
コンピュータ３１、３２、３３から送信されるタイミングインデックス信号ＴＩＳ１〜ＴＩＳ３は、ＬＡＮケーブル４１を介してルータ４２に送信される。
ルータ４２は、ＬＡＮケーブル４３を介して、同期を取りながらプロジェクタ３４、３５、３６にタイミングインデックス信号ＴＩＳ１〜ＴＩＳ３を配信する。
このような本実施形態によれば、ルータ４２を介して、ＬＡＮケーブル４１、ＬＡＮケーブル４３によってコンピュータ３１、３２、３３、及び、プロジェクタ３４、３５、３６が相互に接続されているので、ルータ４２を介してすべての機器間で情報のやりとりを行うことができる。
また、ルータ４２を介して相互の機器の接続を行っているため、各機器間の通信の同期が取りやすくなる。
【００５１】
［実施形態の変形］
なお、本発明は前述の実施形態に限定されるものではなく、本発明の目的を達成できる範囲での変形、改良等は本発明に含まれるものである。
例えば、前記第１実施形態では、タイミングインデックス信号を１６ビットのビット列から構成される色表示データの下位ビット、重ね合わせ領域Ａ１中の画素、及び角隅部の領域Ａ２のいずれかに挿入するようにしていたが、本発明はこれに限られない。例えば、予め、光変調素子の画素欠陥等が分かっていれば、この画素欠陥に応じた色表示データにタイミングインデックス信号を挿入してもよい。この場合、当該画素に電圧印加しても、駆動しないので、色表示データのビット列すべてにタイミングインデックス信号を挿入することができる。
【００５２】
また、前記第１実施形態では、画像信号にタイミングインデックス信号を挿入するに際して、色表示データのビット列に挿入するように構成していたが、これに限らず、例えば、画像信号の帰線回帰期間の部分にタイミングインデックス信号を挿入するようにしてもよい。
さらに、前記第１実施形態では、画像信号の画像伝送系としてデジタル伝送系であるＤＶＩ規格の画像伝送ケーブル１４、１５を用いて画像信号を送信していたが、これに限らず、ＤＳＵＢ１５ピン等の端子を利用して、アナログ伝送系によって画像信号を送信してもよい。尚、この場合、色表示データの下位ビット列では、データの誤りが生じる可能性があるので、色表示データに、リードソロモン符号等を用いてエラー訂正処理を行うのが好ましい。
その他、本発明の実施の際の具体的な構造及び方法等は、本発明の目的を達成できる範囲で他の構造等としてもよい。
【図面の簡単な説明】
【００５３】
【図１】本発明の第１実施形態に係る画像表示システムの構造を表す模式斜視図。
【図２】前記実施形態における画像表示装置間の画像更新タイミングの相違を表す模式図。
【図３】前記実施形態における画像表示システムの概略を説明するための模式図。
【図４】前記実施形態における画像表示システムの構造を表すブロック図。
【図５】前記実施形態における色表示データの構造を表す模式図。
【図６】前記実施形態におけるタイミングインデックス信号を挿入する場所を例示する投射画像の模式図。
【図７】前記実施形態の作用を説明するためのフローチャート。
【図８】前記実施形態の作用を説明するためのフローチャート。
【図９】本発明の第２実施形態に係る画像表示システムの構造を表す模式図。
【図１０】前記実施形態における画像表示システムの構造を表すブロック図。
【図１１】本発明の第３実施形態に係る画像表示システムの構造を表す模式図。
【図１２】前記実施形態における画像表示システムの構造を表すブロック図。
【図１３】前記実施形態の作用を説明するためのフローチャート。
【図１４】本発明の第４実施形態に係る画像表示システムの構造を表す模式図。
【符号の説明】
【００５４】
１、２、３、４…マルチプロジェクションシステム、１１…コンピュータ、１２、１３…プロジェクタ、１４、１５…画像伝送ケーブル、１６…ケーブル、１７、１８…投射画像、２０…サーバ、２１、２２、２３…コンピュータ、２４、２５、２６…プロジェクタ、２７…ネットワーク、３１、３２、３３…コンピュータ、３４、３５、３６…プロジェクタ、３７…ケーブル、４１…ケーブル、４２…ルータ、４３…ケーブル、１１１…ディスプレイドライバ、１１２…画像生成部、１１３…タイミングインデックス信号挿入部、１１４…画像信号送信部、１１５…ビデオカード、１２１…ビデオ入力端子、１２２…画像信号受信部、１２３…フレームバッファ、１２４…画像表示部、１２５…画像表示制御部、１２６…タイミングインデックス信号復号部、１２７…タイミングインデックス信号送信部、１２８…タイミングインデックス信号受信監視部、１２９…ＵＳＢポート、３１１…タイミングインデックス信号送信部、３１２…ＵＳＢポート、３４１…ＵＳＢポート、Ａ１…重ね合わせ領域、Ａ２…角隅部の領域、ＴＩＳ１〜ＴＩＳ３…タイミングインデックス信号、ＶＩＤＥＯ１〜ＶＩＤＥＯ３…分割画像信号
【図１】
2009122412.tif 000003
【図２】
2009122412.tif 000004
【図３】
2009122412.tif 000005
【図４】
2009122412.tif 000006
【図５】
2009122412.tif 000007
【図６】
2009122412.tif 000008
【図７】
2009122412.tif 000009
【図８】
2009122412.tif 000010
【図９】
2009122412.tif 000011
【図１０】
2009122412.tif 000012
【図１１】
2009122412.tif 000013
【図１２】
2009122412.tif 000014
【図１３】
2009122412.tif 000015
【図１４】
2009122412.tif 000016